(57)【要約】【課題】従来より最小床版厚を小さくすることができ、適用性の向上を可能にするループ状継手を備えたプレキャストコンクリート床版を提供する。【解決手段】隣り合う床版１、２同士を連結するためのループ状継手３を備えたプレキャストコンクリート床版１、２であって、ループ状継手３を、床版本体１ｂ、２ｂに埋設しつつ接合端面１ａ、２ａから軸方向Ｔ２外側に突出して配設し、且つ、軸方向Ｔ２からの正面視で床版１、２の厚さ方向Ｔ３の鉛直方向に対して所定の角度θで交差するように傾斜して配設する。【選択図】図２
2018053441.tif 000002
【特許請求の範囲】
【請求項１】
隣り合う床版同士を連結するためのループ状継手を備えたプレキャストコンクリート床版であって、
前記ループ状継手は、床版本体に埋設しつつ接合端面から軸方向外側に突出して配設され、且つ、軸方向からの正面視で前記床版の厚さ方向の鉛直方向に対して所定の角度で交差するように傾斜して配設されていることを特徴とするループ状継手を備えたプレキャストコンクリート床版。
【発明の詳細な説明】
【技術分野】
【０００１】
本発明は、ループ状継手を備えたプレキャストコンクリート床版に関する。
【背景技術】
【０００２】
橋梁の床版同士を連結する手段の一つとして、例えば、図３及び図４に示すように、互いの床版１、２のループ状の継手鉄筋（ループ状継手３）を橋軸直角方向の幅方向Ｔ１に間隔をあけ、あるいは重ね合わせて配置し、各ループ状継手３内に補強鉄筋４を挿入配置するとともに互いの床版１、２の接合端面１ａ、２ａ間の間詰め部／連結部５にコンクリート６を打設することにより、隣り合う床版１、２同士を連結する構造Ａが用いられている（例えば、特許文献１参照）。
【０００３】
また、この種の連結構造Ａを適用する際には、床版本体１ｂ、２ｂの接合端面１ａ、２ａからループ状継手３の両端部を突出させるように鉄筋を床版本体１ｂ、２ｂに埋め込み配置し、予めループ状継手３を備えたプレキャストコンクリート床版（プレキャストＰＣ床版含む）を用いることが多い。すなわち、一般に、このループ状継手３を備えた連結構造Ａは、プレキャストコンクリート床版１、２同士をＲＣ構造で接続するように構成されている。
【０００４】
さらに、ループ状継手３は、橋軸方向Ｔ２からの正面視で床版１、２の厚さ方向Ｔ３の鉛直方向に配設されるとともに橋軸直交方向の幅方向Ｔ１に所定の間隔をあけて複数配設される。また、ループ状継手３の内曲げ直径ｄＢ等は、ループ鉄筋径と配置間隔等に応じて設定される。
【先行技術文献】
【特許文献】
【０００５】
【特許文献１】特開２００９−２６４０４０号公報
【発明の概要】
【発明が解決しようとする課題】
【０００６】
ここで、「道路橋示方書・同解説 鋼橋編」（日本道路協会：平成２４年３月）では、ＰＣ床版の最小床版厚が床版支間４ｍの場合に２１０ｍｍとなる。
【０００７】
これに対し、上記従来のループ状継手３の連結構造Ａを備える場合には、そのプレキャストＰＣ床版の最小床版厚がループ状継手３の曲げ加工形状（内曲げ直径ｄＢ）と床版配筋の取合い及びプレテンションＰＣ鋼材の配置余裕によって決まり、床版支間４ｍの場合の最小床版厚が２４０ｍｍとなってしまう（図４参照）。
【０００８】
すなわち、上記従来のループ状継手３の連結構造Ａ、これを備えた床版１、２においては、「道路橋示方書・同解説 鋼橋編」（日本道路協会：平成２４年３月）で定められた最小床版厚の２１０ｍｍを満たすことができず、その適用に大きな制限が生じていた。
【０００９】
本発明は、上記事情に鑑み、従来より最小床版厚を小さくすることができ、適用性の向上を可能にするループ状継手を備えたプレキャストコンクリート床版を提供することを目的とする。
【課題を解決するための手段】
【００１０】
上記の目的を達するために、この発明は以下の手段を提供している。
【００１１】
本発明のループ状継手を備えたプレキャストコンクリート床版は、隣り合う床版同士を連結するためのループ状継手を備えたプレキャストコンクリート床版であって、前記ループ状継手は、床版本体に埋設しつつ接合端面から軸方向外側に突出して配設され、且つ、軸方向からの正面視で前記床版の厚さ方向の鉛直方向に対して所定の角度で交差するように傾斜して配設されていることを特徴とする。
【発明の効果】
【００１２】
本発明のループ状継手を備えたプレキャストコンクリート床版においては、ループ状継手を所定の角度で斜設することにより、従来の垂直にループ状継手を配設した場合と比較し、プレキャストコンクリート床版の厚さを傾斜角度に応じて小さくすることができる。
【００１３】
これにより、床版厚さを薄くし、軽量化を図ることが可能になる。そして、例えば、最小床版厚を「道路橋示方書・同解説 鋼橋編」（日本道路協会：平成２４年３月）で規定されている値にすることも可能になり、ループ状継手を備えたプレキャストコンクリート床版の適用範囲を拡大する（汎用性を高める）ことが可能になる。
【図面の簡単な説明】
【００１４】
【図１】本発明の一実施形態に係るループ状継手を備えたプレキャストコンクリート床版、床版の連結構造を示す側面図である。
【図２】本発明の一実施形態に係るループ状継手を備えたプレキャストコンクリート床版、床版の連結構造を示す正面図である。
【図３】従来のループ状継手を備えたプレキャストコンクリート床版、床版の連結構造を示す側面図である。
【図４】従来のループ状継手を備えたプレキャストコンクリート床版、床版の連結構造を示す正面図である。
【発明を実施するための形態】
【００１５】
以下、図１及び図２を参照し、本発明の一実施形態に係るループ状継手を備えたプレキャストコンクリート床版について説明する。なお、本実施形態は、道路橋や鉄道橋などの橋梁のプレキャストコンクリート床版に関するものである。
【００１６】
本実施形態のプレキャストコンクリート床版１、２は、図１及び図２に示すように、隣り合うプレキャストコンクリート床版１、２を連結するためのループ状継手３を備えて形成されている。また、このプレキャストコンクリート床版１、２では、床版本体１ｂ、２ｂのコンクリートに埋設された主筋（上主筋と下主筋）を床版本体１ｂ、２ｂの接合端面１ａ、２ａから軸方向（橋軸方向）Ｔ２外側に突出させつつ略Ｕ字状を呈するように配設してループ状継手（ループ配筋部）３が形成されている。
【００１７】
また、このループ状継手３は、プレキャストコンクリート床版１、２の幅方向Ｔ１に所定の間隔をあけて複数配設されている。
【００１８】
そして、例えば、隣り合うプレキャストコンクリート床版１、２の接合端面１ａ、２ａから突出したループ状継手３を重ね合わせるようにし、各ループ状継手３内に補強鉄筋４を挿入配置するとともに互いのプレキャストコンクリート床版１、２の接合端面１ａ、２ａ間の間詰め部／連結部５にコンクリート６を打設することにより、隣り合う床版１、２同士がループ状継手３、コンクリート６からなる連結構造（ＲＣ構造部）Ｂで一体に接続される。
【００１９】
一方、本実施形態のプレキャストコンクリート床版１、２及び床版の連結構造Ｂにおいては、プレキャストコンクリート床版１、２の接合端面１ａ、２ａから突出するループ状継手３がプレキャストコンクリート床版１、２の軸方向Ｔ１からの正面視で床版１、２の厚さ方向Ｔ３の鉛直方向に対して所定の角度θで交差するように傾斜して配設されているまた、複数のループ状継手３はそれぞれ傾斜角度θを同等にし、平行に配設されている。
【００２０】
このように複数のループ状継手３を所定の傾斜角度θで斜設することにより、従来の垂直にループ状継手３を配設した場合と比較し、主筋のかぶりを確保しつつプレキャストコンクリート床版１、２の厚さを傾斜角度θに応じて小さくすることができる。
【００２１】
これにより、本実施形態のプレキャストコンクリート床版１、２においては、ループ状継手３を斜めに倒して床版厚さを薄くし、軽量化を図ることが可能になる。例えば、プレキャストコンクリート床版１枚当たり１３％程度の軽量化できることが確認されている。
【００２２】
また、最小床版厚を「道路橋示方書・同解説 鋼橋編」（日本道路協会：平成２４年３月）で規定されている値にすることが可能になり、ループ状継手３を備えたプレキャストコンクリート床版１、２の適用範囲を拡大する（汎用性を高める）ことが可能になる。これにより、今後、床版大規模更新工事などへのループ状継手３を備えたプレキャストコンクリート床版１、２の適用を期待することができる。
【００２３】
さらに、ループ状継手３を所定の傾斜角度θで斜設することにより、従来の垂直にループ状継手３を配設した場合と比較し、床版厚さを薄くしても床版１、２や連結構造Ｂのせん断耐力、曲げ耐力等を高めることが可能になる。
【００２４】
以上、本発明に係るループ状継手プレキャストコンクリート床版の一実施形態について説明したが、本発明は上記の実施形態に限定されるものではなく、その趣旨を逸脱しない範囲で適宜変更可能である。
【００２５】
例えば、本実施形態では、本発明に係るプレキャストコンクリート床版（床版）が橋梁の床版であるものとして説明を行ったが、本発明に係るプレキャストコンクリート床版（床版）は建物等、他の構造物の床版に適用しても構わない。この場合であっても本実施形態と同様の作用効果を得ることが可能である。
【符号の説明】
【００２６】
１    プレキャストコンクリート床板（床版）
１ａ  接合端面
１ｂ  床版本体
２    プレキャストコンクリート床板（床版）
２ａ  接合端面
２ｂ  床版本体
３    ループ状継手
４    補強鉄筋
５    連結部
６    コンクリート
Ａ    従来の床版の連結構造
Ｂ    床版の連結構造
Ｔ１  幅方向
Ｔ２  軸方向
Ｔ３  厚さ方向
【図１】
2018053441.tif 000003
【図２】
2018053441.tif 000004
【図３】
2018053441.tif 000005
【図４】
2018053441.tif 000006